(57)【要約】【課題】同位体標識率が５０ａｔｏｍ％以下の低濃度に標識されたアミノ酸等の難揮発性物質の同位体濃度の決定に有効な安定同位体濃度の分析方法を提供する。【解決手段】低濃度標識試料の同位体濃度を分析する際に、ＦＡＢ法のマトリックス溶液として、酸水溶液及びアルカリ金属イオン含有水溶液を添加したマトリックス溶液を使用し、このマトリックス溶液と試料とを混合して質量分析を行い、得られたマススペクトル中で、最も存在確率が高い分子にアルカリ金属が付加したアルカリ金属イオン付加分子イオンの第１のピークと、その次に存在確率が高いアルカリ金属イオン付加分子イオンのピークであって、かつ、前記第１のピークの１質量数だけ高質量数側に出現する第２のピークとの強度比から安定同位体濃度を算出する。【選択図】図１
2008215863.tif 000002
【特許請求の範囲】
【請求項１】
同位体標識率が５０ａｔｏｍ％以下の低濃度標識試料を質量分析することによって試料中の安定同位体濃度を分析する方法において、質量分析する際の試料のイオン化方法としてＦＡＢ法を採用するとともに、該ＦＡＢ法で使用するマトリックスを溶媒に溶解したマトリックス溶液に酸水溶液とアルカリ金属イオン含有水溶液とを混合して質量分析を行い、該質量分析から得られたピークの中で、最も存在確率が高い分子にアルカリ金属が付加したアルカリ金属イオン付加分子イオンの第１のピークと、その次に存在確率が高いアルカリ金属イオン付加分子イオンのピークであって、かつ、前記第１のピークの１質量数だけ高質量数側に出現する第２のピークとの強度比から安定同位体濃度を算出することを特徴とする安定同位体濃度の分析方法。
【請求項２】
前記第１のピークとの強度比を求める前記第２のピークは、標識が１８Ｏのときには第１のピークの１質量数だけ高質量数側に出現するピークに代えて、第１のピークの２質量数だけ高質量数側に出現するピークを用いることを特徴とする請求項１記載の安定同位体濃度の分析方法。
【請求項３】
前記マトリックスは、グリセロール、チオグリセロール、３−ニトロベンジルアルコール、ジチオスレイトール、ジエタノールアミン、トリエタノールアミンの少なくともいずれか１種を主成分とするものであることを特徴とする請求項１又は２記載の安定同位体濃度の分析方法。
【請求項４】
前記溶媒は、純水、メタノール、エタノール、ヘキサン、ベンゼン、Ｎ，Ｎ’−ジメチルホルミアミドの少なくともいずれか１種を主成分とするものであることを特徴とする請求項１乃至３のいずれか１項記載の安定同位体濃度の分析方法。
【請求項５】
前記酸水溶液の酸は、塩酸、硝酸、硫酸の少なくともいずれか１種であることを特徴とする請求項４記載の安定同位体濃度の分析方法。
【請求項６】
前記アルカリ金属含有水溶液のアルカリ金属は、リチウム、ナトリウム、カリウムの少なくともいずれか１種であることを特徴とする請求項１乃至５のいずれか１項記載の安定同位体濃度の分析方法。
【発明の詳細な説明】
【技術分野】
【０００１】
本発明は、安定同位体濃度の分析方法に関し、詳しくは、安定同位体均一標識アミノ酸等の難揮発性であり、かつ、分子内の炭素、水素、窒素及び酸素の内、一種類の元素が１３Ｃ、２Ｈ、１５Ｎ及び１７Ｏ又は１８Ｏにて５０ａｔｏｍ％以下の低濃度に標識され、その標識された元素の同位体濃度を決定するための安定同位体濃度の分析方法に関する。
【背景技術】
【０００２】
現在、化合物中の特定の元素の同位体標識率を求めるには、質量分析や赤外分光が利用されている。具体的には、質量分析では、前処理した試料あるいは未処理のままの試料をＧＣＭＳ（Gas Chromatography Mass Spectrometry)、ＬＣＭＳ (Liquid Chromatography Mass Spectrometry)、ＩＲＭＳ (Isotope Ratio Mass Spectrometry)等の質量分析装置で測定し、分子イオンピークと質量数＋α（αは互いに同位体である２つの核種の質量数の差）とのピーク比、あるいは、特定のフラグメントイオンと質量数＋αとのピーク比が、互いに同位体である核種の存在比に等しいことから同位体濃度（同位体標識率）が求められる。ＧＣあるいはＬＣと組み合わせて質量分析を行うことで、混合物中の特定の化合物の同位体濃度を求めることもできる。
【０００３】
特にＩＲＭＳの場合は、ＣＯ２、Ｎ２、Ｏ２、ＳＯ２といったガスサンプルに特化した質量分析を行い、それぞれの元素の同位体濃度を求める。サンプルがＣＯ２、Ｎ２、Ｏ２、ＳＯ２以外の場合は、先ず、ＣＯ２、Ｎ２、Ｏ２、ＳＯ２へのガス化が必要である。ガス化の方法は、ＩＲＭＳに接続された燃焼器での燃焼によりＣＯ２、ＮＯ２、Ｏ２、ＳＯ２を、さらに還元により、ＮＯ２からＮ２を得る燃焼法や、脱炭酸等の化学的な前処理によりＣＯ２、Ｎ２、Ｏ２、ＳＯ２を得る方法等がある。ＩＲＭＳはＧＣとの組み合わせが可能であり、さらに前述のガス化：燃焼法と組み合わせた方法は、ＧＣ−Ｃ−ＩＲＭＳ (GC Combustion Isotope Ratio Mass Spectrometry)と呼ばれている。
【０００４】
赤外分光では、ＣＯ２、ＣＨ４の炭素同位体の分析についてのみ既存技術が存在する。例えば、ＣＯ２の場合、１２ＣＯ２及び１３ＣＯ２のそれぞれの固有波長の光吸収の強度比を測定することで同位体比を分析する（例えば、特許文献１参照。）。
【０００５】
また、同位体分析、特に水素、炭素、窒素、酸素等の軽元素の同位体分析では、装置内での質量分別効果（装置内での質量分別効果を特に質量差別効果という。）が大きく、同位体組成の絶対値を決定するのが難しい。このため、同位体比をある標準物質からの相対偏差で議論する場合が多い（相対法）。また、安定同位体質量分析法では、質量分析時だけでなく、試料処理及び分析元素の抽出、さらには妨害元素の除去の際に分析元素が同位体分別を受ける。したがって、未知試料と標準物質とを可能な限り同じ条件下で分析することが重要となる。未知試料と同位体標準との分析条件をできるだけそろえるために、同一形状・同一サイズの試料導入系が二対備わった装置、いわゆるデュアルインレット方式が用いられ、また試料と標準試料は交互に測定される（例えば、非特許文献１参照。）。軽元素の高精度同位体分析は、このデュアルインレット方式での相対法と前述のＩＲＭＳとの組み合わせで行うことが多く、特に試料がアミノ酸等の難揮発性物質の場合には、前処理として燃焼法を併用したＩＲＭＳが利用されている。
【０００６】
一方、アミノ酸等の熱分解性・難揮発性物質の質量分析として、イオン化方法にＦＡＢ法(Fast Atom Bombardment＝高速原子衝撃法）を使用する方法が知られている。ＦＡＢ法では、試料をグリセロール等の粘性のある有機化合物（マトリックス）と混合し、その溶液にキセノンやアルゴン等の原子を衝突させてイオン化を行う。マトリックスとしは、グリセロール、チオグリセリン、３−ニトロベンジルアルコール等が実用的なマトリックスとして知られており、試料の性質に合わせてマトリックスを選定することが質の高いマススペクトルを得る上で、非常に重要な要因であると言える（例えば、非特許文献２参照。）。
【０００７】
しかし、いずれのマトリックスも非常に粘性の高い物質であり、試料が固体試料の場合、それを直接マトリックスと混合しても、均一な試料溶液を得ることは困難であるため、通常、試料とマトリックスとの混合は、両者が溶解する溶媒を介して行われることが多い（以下、試料及びマトリックスが溶解する溶媒とマトリックスを混合したものをマトリックス溶液という。）。また、ＦＡＢ法は、最も一般的なイオン化方法であるＥＩ法(Electron Ionization)と比較するとイオン化の機構がソフトであり、分子イオン（正確にはプロトン化分子イオン：［Ｍ＋Ｈ］＋や脱プロトン化分子イオン：［Ｍ−Ｈ］−、以下同様）が出現しやすいといった特徴がある。イオン化により生成するイオンの内、フラグメントイオンは、分子内の特定の部位に関する情報のみを与える。一方、分子イオンは、分子全体にわたる情報を与えてくれる。つまり、分子イオンでは、分子内のどの部分の元素を特定の同位体に標識しても、その情報が反映される。このためＦＡＢ法は、同位体標識率が不明な物質に対し、その同位体標識率を求めるための手段としては、汎用性があり、優れた方法であるといえる。
【０００８】
また、ＦＡＢ法では、マトリックス溶液中にＮａ＋やＫ＋といったアルカリ金属のイオンが存在すると、分子イオンだけでなく、アルカリ金属イオンが付加したナトリウムイオン付加分子イオン：［Ｍ＋Ｎａ］＋やカリウムイオン付加分子イオン：［Ｍ＋Ｋ］＋が出現する（試料の分子量＋２３や＋４０の質量数にピークが出現する。）ことが知られている。
【０００９】
このように、アミノ酸等の難揮発性物質の同位体分析では、燃焼法を併用したＩＲＭＳが用いられることが一般的ではあるものの、ＩＲＭＳでは、以下のような問題点も存在していた。
【００１０】
（１）質量分析の前段に燃焼や還元装置を組み込むために装置が複雑化する。
【００１１】
（２）最終的に、酸素ガス、窒素ガス及び炭酸ガス等の環境大気中に存在する物質に変換して質量分析を行うため、環境大気からの汚染による分析誤差を生じる可能性が高い。特に環境大気中では極めて僅かしか存在しない１３Ｃ、１５Ｎ、１７Ｏ及び１８Ｏにて同位体標識された試料の測定においては、この汚染による悪影響が顕著である。
【００１２】
（３）試料中に化学不純物が存在すると、前処理として発生させるＣＯ２、ＳＯ２、Ｏ２及びＮ２は、試料と化学不純物とを合わせたものに由来するものとなり、その結果、正確な目的物のみの同位体比を反映しづらい。
【００１３】
（４）ＣＯ２、Ｎ２、Ｏ２、ＳＯ２に特化した質量分析であるため、水素の同位体濃度の測定ができない。
【００１４】
また、高精度な軽元素同位体分析においては、質量差別効果の影響を除くため、「標準物質と試料との相対比較法」が実施されているものの、これにおいても、以下のような問題がある。
【００１５】
（５）同位体存在比が略天然存在比と等しい試料に対する標準物質は、国際的にも整備されてはいるものの、同位体濃度が天然存在比から乖離した試料に対する標準物質は、国際的にも整備されておらず入手することができない。
【００１６】
さらに、相対法で利用されているデュアルインレット方式にも、同位体濃度が天然存在比から乖離した試料に対する標準物質は国際的にも整備されていない現状を踏まえると以下のような問題がある。
【００１７】
（６）標準物質と試料との同位体組成が僅かしか異ならない場合は、高精度の同位体分析において非常に優れた方式であるものの、標準物質と試料との同位体組成が乖離した場合には、装置の共用する部分（質量分析にデュアルインレット方式を採用する場合、試料導入系は標準物質と試料とでそれぞれ独立しているものの、イオン源以降の部分は共用となる。）へのメモリー効果（イオン源以降への他方の残留）により高精度な同位体分析ができない。
【００１８】
そして、上記の問題を解決する可能性を有するＦＡＢＭＳにおいても、
（７）分子イオンピークは出現するものの、試料及びマトリックス中の微量不純物、装置由来のノイズピーク等が多く（前記非特許文献２参照）、互いに同位体である核種の濃度が同等でなく、一方のピークが他方のピークより非常に小さなケースにおいては、そのピークが前述のノイズピークに埋もれてしまうため、高精度な同位体濃度の決定に要求される質の高い、つまりは、目的とする分子イオンピークのみの強度が非常に大きく、他の不要なピークが極力抑制されたマススペクトルを得ることが困難であるという問題があった。
【００１９】
さらに、分子イオンピークの強度のみを増大させ、他の不要なピークが極力抑制されたマススペクトルを得るための手段として、新規なマトリックスを用いてＦＡＢＭＳを測定する方法も提案されている（例えば、特許文献２参照。）。ただし、この方法を利用すると、分子イオンピークの増大化は見られるものの、
（８）そのピークより高精度に同位体濃度を算出することに耐えうるまでの効果は得られてはいない。
【００２０】
最後に、上記のＦＡＢＭＳ測定において、マトリックスの種類・濃度やマトリックスへの添加剤を適切に選定することで、ＦＡＢＭＳ測定において得られる分子イオンピークのみの強度の増大化を図り、そのピークから高精度な同位体濃度の算出を可能とする方法も提案されている（例えば、特許文献３参照。）。
【００２１】
ただし、この方法は、一種類の元素が１３Ｃ、２Ｈ、１５Ｎ及び１７Ｏ又は１８Ｏにて高濃度に標識された化合物に対する方法、つまりは、分子イオンピークの中で最も強度の強いピーク（メインピーク）とその次に強度の強いピークであるメインピークより１ＭＡＳＳだけ低質量数のピークの強度比を使って同位体濃度を算出する方法である。
【００２２】
一方、一種類の元素が１３Ｃ、２Ｈ、１５Ｎ及び１７Ｏ又は１８Ｏにて５０ａｔｏｍ％以下の低濃度に標識された化合物では、２番目に強度が強いピークは、最も強度が強いピークの１ＭＡＳＳ（１８Ｏ標識では２ＭＡＳＳ）だけ高質量数のピークとなり、これらの強度比を使って同位体濃度を計算することになる。したがって、
（９）メインピークの高質量数側（特に１ＭＡＳＳ又は２ＭＡＳＳだけ高質量数側）に不要なピークが出現しても、一種類の元素が１３Ｃ、２Ｈ、１５Ｎ及び１７Ｏ又は１８Ｏにて高濃度に標識された化合物の分析では影響を受けないのに対し、一種類の元素が１３Ｃ、２Ｈ、１５Ｎ及び１７Ｏ又は１８Ｏにて５０ａｔｏｍ％以下の低濃度に標識された化合物の分析では、同位体分析の精度への影響が大きく、高精度な分析の妨げとなっていた。
【００２３】
以上のようにアミノ酸等の難揮発性物質であり、かつ、その同位体組成が天然存在比から乖離し、しかも、その濃度が５０ａｔｏｍ％以下である物質に対しては、その同位体濃度を正確に求めるにあたって数々の問題があり、これまでは、その前駆体、中間体あるいは原料の分析を行い、これらの同位体濃度をもって、アミノ酸等の同位体濃度とすることが、しばしば行われているのが現状であった。
【特許文献１】特開２００５−３０８１６号公報
【特許文献２】特開平９−１１３４８５号公報
【特許文献３】特願２００６−３１６５４５号公報
【非特許文献１】平田、同位体比を測るための分析法、ぶんせき、２００２年第４号、１５２〜１６０頁
【非特許文献２】ＹＯＫＵＤＥＬ−ＦＡＢ−Ｍａｔｒｉｘ［ＦＡＢ測定用マトリックス］〜ＦＡＢ測定のノウハウ、日本電子データム株式会社、２００４年７月１日（第２版）
【発明の開示】
【発明が解決しようとする課題】
【００２４】
そこで本発明者は、多くの問題を抱えるＩＲＭＳを使用することなく、また、標準物質との比較分析も実施することなく、難揮発性を有する試料を質量分析する際のイオン化方法としてＦＡＢ法を採用したＦＡＢＭＳによって安定同位体濃度の分析を行うにあたり、試料中の目的物由来であり、かつ、同位体濃度の計算に必要なピークのみを格段に増大させ、かつ、不要ピークの出現を極力抑制することで、得られるマススペクトルの質を向上させ、高精度な同位体濃度の決定に有効なものとすることが、低濃度に標識されたアミノ酸等の難揮発性物質の同位体濃度の決定に非常に有効であることを見出し、本発明を完成するに至った。
【課題を解決するための手段】
【００２５】
すなわち、本発明の安定同位体濃度の分析方法は、同位体標識率が５０ａｔｏｍ％以下の低濃度標識試料を質量分析することによって試料中の安定同位体濃度を分析する方法において、質量分析する際の試料のイオン化方法としてＦＡＢ法を採用するとともに、該ＦＡＢ法で使用するマトリックスを溶媒に溶解したマトリックス溶液に酸水溶液とアルカリ金属イオン含有水溶液とを混合して質量分析を行い、該質量分析から得られたピークの中で、最も存在確率が高い分子にアルカリ金属が付加したアルカリ金属イオン付加分子イオンの第１のピークと、その次に存在確率が高いアルカリ金属イオン付加分子イオンのピークであって、かつ、前記第１のピークの１質量数（１ＭＡＳＳ）だけ高質量数側に出現する第２のピークとの強度比から安定同位体濃度を算出することを特徴とするものであって、標識が１８Ｏのときには第１のピークの１質量数だけ高質量数側に出現するピークに代えて、第１のピークの２質量数（２ＭＡＳＳ）だけ高質量数側に出現するピークを用いることを特徴としている。
【００２６】
本発明の安定同位体濃度の分析方法において、前記マトリックスは、グリセロール、チオグリセロール、３−ニトロベンジルアルコール、ジチオスレイトール、ジエタノールアミン、トリエタノールアミンの少なくともいずれか１種を主成分とするものを使用することが好ましく、前記溶媒は、純水、メタノール、エタノール、ヘキサン、ベンゼン、Ｎ，Ｎ’−ジメチルホルミアミドの少なくともいずれか１種を主成分とするものを使用することが好ましい。さらに、前記酸水溶液は、塩酸、硝酸、硫酸の少なくともいずれか１種の水溶液を使用することが好ましく、前記アルカリ金属含有水溶液のアルカリ金属は、リチウム、ナトリウム、カリウムの少なくともいずれか１種であることが好ましい。
【００２７】
特に、前記マトリックス溶液は５〜３０体積％のグリセロール水溶液を使用することが好ましい。マトリックス溶液に対する酸水溶液の混合量は、酸水溶液が１Ｎの塩酸水溶液の場合、体積比でマトリックス溶液の６に対して塩酸水溶液が０．５〜２．５の範囲に設定することが好ましい。また、マトリックス溶液に対するアルカリ金属イオン含有水溶液の混合量は、アルカリ金属イオン含有水溶液が１Ｎの塩化ナトリウム水溶液の場合、体積比でマトリックス溶液の６に対して塩化ナトリウム水溶液を０．５〜２．５の範囲に設定することが好ましい。
【発明の効果】
【００２８】
本発明の安定同位体濃度の分析方法によれば、燃焼装置や還元装置を質量分析計の前段に組み込む必要がなく、装置の簡略化を図ることができる。また、標識アミノ酸等を酸素、窒素、炭酸ガスへ変換しないので、これらが環境大気から混入することによる分析誤差が生じる可能性もない。さらに、試料中に化学不純物が存在していても、質量分離によって化学不純物と試料（目的物）との分離が可能であるため、化学不純物の影響を受けることもない。加えて、分子にプロトンやナトリウムイオン等のアルカリ金属イオンを付加しただけの分子情報を含むプロトン付加分子イオンピークやアルカリ金属イオン付加分子イオンピークを用いた同位体濃度の決定であるため、２Ｈ濃度の情報を得ることができ、水素の同位体分析も可能である。
【００２９】
しかも、サンプルのみの測定で濃度を算出できるので、デュアルインレット方式のようなメモリー効果による分析精度の低下のおそれもない。加えて、一方のピークが他方のピークより非常に小さなケースであっても、試料及びマトリックス中の不純物、装置由来のノイズピーク等に小さなピークが埋もれてしまうことがなく、高精度な同位体濃度の決定に十分に利用可能なマススペクトルの取得が可能である。
【００３０】
さらに、ＦＡＢＭＳ測定において、アルカリ金属イオンを添加する場合においては、アルカリ金属イオンが分子に付加したイオンであって分子の中で最も存在確率が高いものに由来するピークの高質量数側に出現する不要ピークの抑制効果が非常に顕著であるため、分子イオンをＭ＋Ｈとして検出する方法に比べ、特に低濃度標識化合物に対するより正確な同位体濃度の決定が可能となる。
【００３１】
なお、本発明は、１つの元素の同位体濃度が不明な場合に利用されるものではある。しかし、複数の元素の同位体濃度が不明な場合であっても、その濃度を別の手段、例えばＩＲＭＳやＩＲ (Infrared Spectroscopy：赤外分光）、ＮＭＲ (Nuclear Magnetic Resonance：核磁気共鳴）等を用いて決定し、同位体濃度が不明な元素を１つとした状態で本発明を利用することにより、複数の元素の同位体濃度が不明な場合であっても、それらをすべて決定することが可能である。
【発明を実施するための最良の形態】
【００３２】
まず、本発明方法を実施するためには、例えばアミノ酸等の難揮発性物質の同位体濃度をＦＡＢＭＳ分析する際には、マトリックス溶液を適切に調合することが非常に重要となる。具体的には、マトリックスを溶媒に溶解し、マトリックス溶液とする際、マトリックス濃度を適切に設定する必要がある。マトリックス濃度は、マトリックス及び溶媒の種類に応じて調製可能であるが、通常は、マトリックス濃度が７〜２５体積％の範囲になるように調整することが好ましい。このマトリックス濃度が高すぎると、試料よりマトリックスのピークが強く出現し、同位体濃度の算出に使用する試料ピークが相対的に小さくなり、分析精度が低下してしまう。一方、マトリックスは、試料を分子のままイオン化するために必要な物質であるから、マトリックス濃度が低すぎると試料の分子イオンのピーク強度が低下し、分析精度が低下したり、分析が不可能となることがある。これらのことを考慮すると、１０体積％となるように調製することが最も望ましい。
【００３３】
本発明で用いるマトリックスとしては、一般的に使用されているものを用いることが可能であり、具体的には、グリセリン（グリセロール）、チオグリセリン、ジエタノールアミン、トリエタノールアミン等が使用可能である。これらのマトリックスの中では、グリセロールが最適である。
【００３４】
前記溶媒には、前述のマトリックスと、測定対象となる試料とが共に溶解するものであれば任意の物質を選定することができ、具体的には、純水、メタノール、エタノール、ヘキサン、ベンゼン、Ｎ，Ｎ’−ジメチルホルミアミド等を使用することが可能であるが、グリセロールと純水との組み合わせが最適である。
【００３５】
さらに、上述のように調製したマトリックス溶液に適量の酸水溶液を添加することにより、その効果を飛躍的に向上させることができる。酸水溶液としては、塩酸、硝酸、硫酸の少なくともいずれか１種の水溶液を使用することができる。酸水溶液の濃度は、前記マトリックス溶液の成分や濃度、酸の種類によっても異なるが、濃度が低すぎるとマトリックス溶液に加える酸水溶液の量が多くなり、マトリックス溶液を調製する際に酸水溶液の混合量を考慮してマトリックス濃度を高くしなければならず、マトリックスを溶媒に十分に溶解させるために長時間を要するなどの不都合が生じる。また、酸水溶液の濃度が高いと酸水溶液の取り扱いに注意を要することになるため。酸水溶液の酸濃度は０．５〜２．５Ｎの範囲が適当であり、添加混合時の操作性等を考慮すると、１Ｎ程度に設定することが好ましい。
【００３６】
マトリックス溶液への酸水溶液の混合量は、マトリックス溶液の成分や濃度、酸水溶液の成分や濃度によって異なるが、例えば、酸水溶液として１Ｎの塩酸水溶液を使用する場合は、体積比でマトリックス溶液：塩酸水溶液＝６：０．５〜２．５の範囲が好ましく、特に、マトリックス溶液：塩酸水溶液＝６：１程度に設定することが好ましい。このとき、塩酸水溶液の量が少なすぎると酸水溶液を添加した効果が十分に得られず、多すぎるとマトリックス溶液を希釈することになり、ピーク強度の低下を招くことになる。
【００３７】
加えて、上述のように調製したマトリックス溶液に微量のアルカリ金属イオンを添加することにより、その効果を更に飛躍的に向上させることができる。アルカリ金属イオンの添加は、通常、リチウム、ナトリウム、カリウムの少なくともいずれか１種を含むアルカリ金属イオン含有水溶液、具体的には塩化ナトリウム水溶液等を添加することによって行われる。このアルカリ金属イオン含有水溶液中のアルカリ金属イオンの濃度は、マトリックス溶液の成分や濃度、酸水溶液の成分や濃度、両者の混合割合、アルカリ金属イオンの種類といった条件に応じて任意に設定することができるが、前記酸水溶液と同様に、調製時の操作性や測定時のピーク強度を考慮すると、０．５〜２．５Ｎの範囲が適当であり、特に０．１Ｎ程度とすることが望ましい。
【００３８】
マトリックス溶液へのアルカリ金属イオン含有水溶液の混合量は、マトリックス溶液の成分や濃度、酸水溶液の成分や濃度、両者の混合割合、アルカリ金属イオンの種類や濃度によって異なるが、通常は、例えばアルカリ金属イオン含有水溶液が１Ｎの塩化ナトリウム水溶液の場合は、前記マトリックス溶液に、体積比でマトリックス溶液：塩化ナトリウム水溶液＝６：０．５〜２．５の範囲、特にマトリックス溶液：塩化ナトリウム水溶液＝６：１程度に設定することが好ましい。
【００３９】
このように酸水溶液及びアルカリ金属イオン含有水溶液を添加混合したマトリックス溶液に試料を溶解させて質量分析を行うことにより、低濃度標識試料中の安定同位体濃度の分析を効率よく高精度で行うことができる。
【実施例】
【００４０】
比較例１
まず、マトリックスとして高純度のグリセロールを使用するとともに、溶媒として超純水製造装置にて製造した超純水使用し、室温にて体積比がグリセロール：超純水＝１：９となるように混合した後、良く撹拌して均一なマトリックス溶液とした。試料には、グリシン、セリン、ヒスチジン及びトリプトファンの４種のアミノ酸を使用した。これらのアミノ酸は、いずれも分子内の窒素原子を約４ａｔｏｍ％程度、１５Ｎにて標識したものである。これらの試料は、分子内の窒素原子をすべて高純度に１５Ｎにて標識したものを非標識のもので希釈して調製したものであり、希釈率、標識品の純度及び非標識品の１５Ｎ濃度から厳密に算出した各試料の正確な１５Ｎ濃度は、グリシン：４．０３ａｔｏｍ％、セリン：４．０７ａｔｏｍ％、ヒスチジン：４．０３ａｔｏｍ％、トリプトファン：４．１１ａｔｏｍ％である。
【００４１】
各試料１ｍｇと前記マトリックス溶液３０μＬとをそれぞれ混合したものを対象として質量分析を行い、マススペクトルを取得した。質量分析におけるスペクトル取得条件は、衝突ガスはキセノン、加速電圧は１ｋＶ、質量走査範囲は５０〜２５０、質量分解能は低分解能測定（Ｍ／δＭ＝５００）とした（以下の各実施例も同じ条件としている。）。
【００４２】
その結果、得られたマススペクトルから最も存在確率の高い分子に由来するピーク（メインピーク：第１のピーク（以下同様））と、その次に存在確率の高い分子（複数個存在する（以下同様）。）に由来するピーク（メインピークの１ＭＡＳＳ高質量数側に出現する第２のピーク（以下同様）。）との強度比から１５Ｎの濃度を求めると、グリシン：４．０８ａｔｏｍ％、セリン：４．１５ａｔｏｍ％、ヒスチジン：４．９８ａｔｏｍ％、トリプトファン：４．７６ａｔｏｍ％となった。
【００４３】
希釈率等から算出した濃度とこの結果とを比較すると、グリシン及びセリンの両者は非常に良い一致を示していることが分かる。一方、ヒスチジン及びトリプトファンでは、測定値から算出した１５Ｎ濃度は、希釈率等から厳密に計算したものと比較すると、高濃度側にずれていることがわかる。
【００４４】
比較例２
マトリックスとして高純度のグリセロールを、溶媒として超純水製造装置にて製造した超純水をそれぞれ使用し、室温にて体積比がグリセロール：超純水＝１：７とした溶液Ａと、グリセロール：超純水＝１：１１とした溶液Ｂとをマトリックス溶液として使用した。試料には、比較例１で使用した内のセリン及びヒスチジンの２種のアミノ酸を使用した。
【００４５】
得られたマススペクトルから最も存在確率の高い分子に由来する第１のピークと、その次に存在確率の高い分子に由来する第２のピークとの強度比から１５Ｎの濃度をそれぞれ求めると、溶液Ａでは、セリン：４．１４ａｔｏｍ％、ヒスチジン：４．９６ａｔｏｍ％となり、溶液Ｂでは、セリン：４．１６ａｔｏｍ％、ヒスチジン：４．９７ａｔｏｍ％となった。この結果から、マトリックス溶液の濃度は、厳密に１０％でなくても同様の結果が得られることが分かる。
【００４６】
比較例３
マトリックスとして高純度のグリセロールを、溶媒としてエタノールを使用し、室温にて体積比がグリセロール：エタノール＝１：９となるように混合してマトリックス溶液とした。試料には、比較例１で使用した内のグリシン及びトリプトファンの２種のアミノ酸を使用した。
【００４７】
得られたマススペクトルから最も存在確率の高い分子に由来する第１のピークと、その次に存在確率の高い分子に由来する第２のピークとの強度比から１５Ｎの濃度を求めると、グリシン：４．０７ａｔｏｍ％、トリプトファン：４．７４ａｔｏｍ％となり、比較例１と同様の結果となった。この結果から、マトリックス溶液に使用する溶媒は純水でなくてもよいことが分かる。
【００４８】
比較例４
比較例１で作成したマトリックス溶液（溶液Ｃ）に、１Ｎ塩酸水溶液を体積比で溶液Ｃ：塩酸水溶液＝６：１となるように添加してマトリックス溶液とした。試料には、比較例１で使用した内のセリン及びヒスチジンの２種のアミノ酸を使用した。
【００４９】
得られたマススペクトルから最も存在確率の高い分子に由来する第１のピークと、その次に存在確率の高い分子に由来する第２のピークとの強度比から１５Ｎの濃度を求めると、セリン：４．０９ａｔｏｍ％、ヒスチジン：４．８１ａｔｏｍ％となった。この結果を比較例１の結果と比較すると、本実施例の結果の方が、希釈率等から厳密に算出した計算値に、より近い値となっていることが分かる。すなわち、酸を少量添加することによって測定の正確性を向上させる効果が得られることが分かる。
【００５０】
比較例５
前記溶液Ｃに２Ｎ塩酸水溶液を体積比が溶液Ｃ：塩酸水溶液＝６：１となるように添加したマトリックス溶液と、前記溶液Ｃに１Ｎ硝酸水溶液を体積比が溶液Ｃ：硝酸水溶液＝６：１となるように添加したマトリックス溶液とを使用した。試料には、比較例１で使用した内のセリン及びヒスチジンの２種のアミノ酸を使用した。
【００５１】
得られたマススペクトルから最も存在確率の高い分子に由来する第１のピークと、その次に存在確率の高い分子に由来する第２のピークとの強度比から１５Ｎの濃度を求めると、２Ｎ塩酸水溶液を添加した場合は、セリン：４．０８ａｔｏｍ％、ヒスチジン：４．８３ａｔｏｍ％となり、１Ｎ硝酸水溶液を添加した場合は、セリン：４．１０ａｔｏｍ％、ヒスチジン：４．８０ａｔｏｍ％となり、比較例４と略同じ結果となった。この結果から、添加する酸の量は厳密ではなく、かつ、その種類も塩酸に限られるものではないことが分かる。
【００５２】
実施例１
前記溶液Ｃに１Ｎ塩酸水溶液及び１Ｎ塩化ナトリウム水溶液を体積比が溶液Ｃ：塩酸水溶液：塩化ナトリウム水溶液＝６：１：１となるように添加してマトリックス溶液とした。試料には、比較例１で使用した内のセリン、ヒスチジン及びトリプトファンの３種のアミノ酸を使用した。
【００５３】
得られたマススペクトルから最も存在確率の高い分子に由来する第１のピーク（アルカリ金属イオンとしてナトリウムイオンを添加したことから分子量＋２３の質量数に出現するピーク）と、その次に存在確率の高い分子に由来する第２のピーク（第１のピークの１ＭＡＳＳ高質量数側）との強度比から１５Ｎの濃度を求めると、セリン：４．０９ａｔｏｍ％、ヒスチジン：４．０９ａｔｏｍ％、トリプトファン：４．１８ａｔｏｍ％となった。また、ヒスチジンについてのマススペクトルを図１に示す。
【００５４】
この結果を比較例１の結果と比較すると本実施例の結果の方が、希釈率等から厳密に算出した計算値に、より近い値となっていることが分かる。特に、ヒスチジン及びトリプトファンでは、その効果は顕著となっている。すなわち、少量のアルカリ金属イオンを添加し、その結果得られるアルカリ金属イオン付加分子として検出されるピークの強度を用いて同位体濃度を算出することにより、特に高分子量のアミノ酸に対して、より正確な測定を行えることが分かる。
【００５５】
実施例２
前記溶液Ｃに１Ｎ塩酸水溶液と２Ｎ塩化ナトリウム水溶液とを体積比が溶液Ｃ：塩酸水溶液：塩化ナトリウム水溶液＝６：１：１となるように添加したマトリックス溶液と、前記溶液Ｃに１Ｎ塩酸水溶液と１Ｎ塩化カリウム水溶液とを体積比が溶液Ｃ：塩酸水溶液：塩化カリウム水溶液＝６：１：１となるように添加したマトリックス溶液とを使用した。試料には、比較例１で使用した内のセリン及びヒスチジンの２種のアミノ酸を使用した。
【００５６】
得られたマススペクトルから最も存在確率の高い分子に由来する第１のピーク（塩化ナトリウム添加では分子量＋２３、塩化カリウム添加では分子量＋４０の質量数にそれぞれ出現する。）と、その次に存在確率の高い分子に由来する第２のピークの強度比から１５Ｎの濃度を求めると、２Ｎ塩化ナトリウム水溶液を添加した場合は、セリン：４．０８ａｔｏｍ％、ヒスチジン：４．１３ａｔｏｍ％となり、１Ｎ塩化カリウム水溶液を添加した場合は、セリン：４．１０ａｔｏｍ％、ヒスチジン：４．１０ａｔｏｍ％となり、実施例１と同様の結果となった。この結果から、添加するアルカリ金属イオンの量は厳密ではなく、かつ、その種類もナトリウムイオンに限定されるものではないことが分かる。
【００５７】
実施例３
実施例１と同じマトリックス溶液を使用し、試料には、分子内の炭素原子を約３ａｔｏｍ％程度、１３Ｃにてそれぞれ標識したグリシン、セリン、ヒスチジン及びトリプトファンの４種のアミノ酸を使用した。これらの試料は、分子内の炭素原子をすべて高純度に１３Ｃにて標識したものを非標識のもので希釈して調製したものであり、希釈率、標識品の純度及び非標識品の１３Ｃ濃度から厳密に算出した各試料の正確な１３Ｃ濃度は、グリシン：３．０２ａｔｏｍ％、セリン：３．０８ａｔｏｍ％、ヒスチジン：３．０４ａｔｏｍ％、トリプトファン：３．０８ａｔｏｍ％である。
【００５８】
各試料１ｍｇとマトリックス溶液３０μＬとをそれぞれ混合したものを対象として質量分析を行い、マススペクトルを取得した。質量分析におけるスペクトル取得条件は、比較例１と同じとした。得られたマススペクトルから最も存在確率の高い分子に由来する第１のピーク（分子量＋２３）と、その次に存在確率の高い分子に由来する第２のピーク（第１のピークの１ＭＡＳＳ高質量数側）との強度比から１３Ｃの濃度を求めると、グリシン：３．０５ａｔｏｍ％、セリン：３．１２ａｔｏｍ％、ヒスチジン：３．１１ａｔｏｍ％、トリプトファン：３．１２ａｔｏｍ％となった。
【００５９】
実施例４
試料として、分子内の水素原子を約５ａｔｏｍ％程度、２Ｈにて標識したグリシン及びヒスチジンの２種のアミノ酸を使用した。これらの試料は、分子内の水素原子をすべて高純度に２Ｈにて標識したものを非標識のもので希釈して調製したものであり、希釈率、標識品の純度及び非標識品の２Ｈ濃度から厳密に算出した各試料の正確な２Ｈ濃度は、グリシン：５．０５ａｔｏｍ％、ヒスチジン：５．０１ａｔｏｍ％である。
【００６０】
実施例１と同じマトリックス溶液を使用し、各試料１ｍｇとマトリックス溶液３０μＬとをそれぞれ混合したものを対象として比較例１と同じ条件で質量分析を行い、マススペクトルを取得した。
【００６１】
得られたマススペクトルから最も存在確率の高い分子に由来する第１のピークと、その次に存在確率の高い分子に由来する第２のピークとの強度比から２Ｈの濃度を求めると、グリシン：５．０９ａｔｏｍ％、ヒスチジン：５．０９ａｔｏｍ％となった。
【００６２】
実施例５
試料として、分子内の酸素原子を約２ａｔｏｍ％程度。１７Ｏにて標識したセリン及びトリプトファンの２種のアミノ酸を使用した。これらの試料は、分子内の酸素原子をすべて高純度に１７Ｏにて標識したものを非標識のもので希釈して調製したものであり、希釈率、標識品の純度及び非標識品の１７Ｏ濃度から厳密に算出した各試料の正確な１７Ｏ濃度は、セリン：２．１３ａｔｏｍ％、トリプトファン：２．３５ａｔｏｍ％である。
【００６３】
実施例１と同じマトリックス溶液を使用し、各試料１ｍｇとマトリックス溶液３０μＬとをそれぞれ混合したものを対象として比較例１と同じ条件で質量分析を行い、マススペクトルを取得した。
【００６４】
得られたマススペクトルから最も存在確率の高い分子に由来する第１のピークと、その次に存在確率の高い分子に由来する第２のピークとの強度比から１７Ｏの濃度を求めると、セリン：２．１８ａｔｏｍ％、トリプトファン：２．４２ａｔｏｍ％となった。
【００６５】
実施例６
試料として、分子内の酸素原子を約１０ａｔｏｍ％程度、１８Ｏにて標識したヒスチジン及びトリプトファンの２種のアミノ酸を使用した。これらの試料は、分子内の酸素原子をすべて高純度に１８Ｏにて標識したものを非標識のもので希釈して調製したものであり、希釈率、標識品の純度及び非標識品の１８Ｏ濃度から厳密に算出した各試料の正確な１８Ｏ濃度は、ヒスチジン：１０．３１ａｔｏｍ％、トリプトファン：９．８５ａｔｏｍ％である。
【００６６】
実施例１と同じマトリックス溶液を使用し、各試料１ｍｇとマトリックス溶液３０μＬとをそれぞれ混合したものを対象として比較例１と同じ条件で質量分析を行い、マススペクトルを取得した。
【００６７】
得られたマススペクトルから最も存在確率の高い分子に由来する第１のピークと、その次に存在確率の高い分子に由来する第２のピーク（第１のピークの２ＭＡＳＳ高質量数側に出現するピーク）との強度比から１８Ｏの濃度を求めると、グリシン：１０．４５ａｔｏｍ％、ヒスチジン：９．９８ａｔｏｍ％となった。
【００６８】
実施例３〜６において、希釈率等から算出した各濃度と、各測定結果とを比較すると、実施例１と同様に、各アミノ酸に対して両者は非常に良い一致を示していることが分かる。すなわち、標識核種の種類に関わらず非常に有効であることが分かる。
【００６９】
実施例７
マトリックスとしてチオグリセロールを、溶媒として純水を使用し、これらを体積比で１：９に混合した溶液に、１Ｎ塩酸水溶液及び１Ｎ塩化ナトリウム水溶液を実施例１と同じ体積比で添加混合してマトリックス溶液とした。試料には、比較例１で使用した内のセリン及びヒスチジンの２種のアミノ酸を使用した。
【００７０】
得られたマススペクトルから最も存在確率の高い分子に由来する第１のピークと、その次に存在確率の高い分子に由来する第２のピークとの強度比から１５Ｎの濃度をそれぞれ求めると、セリン：４．０８ａｔｏｍ％、ヒスチジン：４．１６ａｔｏｍ％となった。この結果から、マトリックスとしてチオグリセロールを使用しても同様の結果が得られることが分かる。
【図面の簡単な説明】
【００７１】
【図１】実施例１において試料がヒスチジンの場合のマススペクトルである。
【図１】
2008215863.tif 000003